(57)【要約】 【課題】  カムによる筆記体ユニットの出没ストロークは、軸筒内を回転しながら前進する回転子の、軸筒の長手方向におけるストロークで決まってしまう。つまり、長いストロークを得ようとするには、前記回転子の移動ストローク以上にノック部材を軸筒の後端から突出する必要があり、外観上の見栄えを著しく損なうのみならず、操作性においても煩わしさがあった。特に、小学生など比較的手が小さく指の短い使用者には、ノック部材の後端部に指がとどかず、軸筒を持ち替えた後に再び操作するようになり、しばしば不具合を発生させる問題があった。    【構成】  軸筒に筆記体ユニットを出没可能に配置した出没式筆記具であって、前記筆記体ユニットの出没機構を摺動子と、その摺動子の押圧操作による回転・前進移動する回転子よりなすと共に、その回転子に傾斜面からなるカム面を形成し、そのカム面に前記筆記体ユニットを係合せしめたことを特徴とする出没式筆記具。【選択図】  図２
2006150725.tif 000002
【特許請求の範囲】
【請求項１】
軸筒に筆記体ユニットを出没可能に配置した出没式筆記具であって、前記筆記体ユニットの出没機構を摺動子と、その摺動子の押圧操作による回転・前進移動する回転子よりなすと共に、その回転子に傾斜面からなるカム面を形成し、そのカム面に前記筆記体ユニットを係合せしめたことを特徴とする出没式筆記具。      
【請求項２】
前記摺動子にカム面を形成し、そのカム面を回転子のカム面に係脱可能に当接させたこと特徴とする請求項１記載の出没式筆記具。      
【請求項３】
前記回転子を軸筒の内面に形成したカム溝に係合するか、或いは、軸筒を回転子の外面に形成したカム面に係合したことを特徴とする請求項１記載の出没式筆記具。      
【請求項４】
前記カム面、或いは、カム溝を回転子、或いは、軸筒の全周に形成したことを特徴とする請求項１〜請求項３の何れかに記載の出没式筆記具。      
【請求項５】
前記回転子に中空部を形成すると共に、その中空部に前記筆記体を内設せしめたことを特徴とする請求項１〜請求項４の何れかに記載の出没式筆記具。
【発明の詳細な説明】
【技術分野】
【０００１】
本発明は、軸筒に筆記体ユニットを出没可能に配置した出没式筆記具に関するものであり、前記筆記体ユニットの１例としては、繊維束体を塗布部とするマーカー類や、ボールペン体、シャープペンシルなどがある。
【背景技術】
【０００２】
従来から、軸筒の後端より突出したノック部材を弾発部材の付勢に抗して押圧することにより、軸筒内を回転しながら前進する回転子を介して前記軸筒から筆記体ユニットを出没させるようにした出没式筆記具が数多く知られている。  具体的に説明する。軸筒の内側に溝部と傾斜面部が形成されたカム筒を配置し、そのカム筒内を長手方向に移動可能ではあるものの回転を規制された摺動子が、前方に斜面部を形成して配置されている。その摺動子の前方には、前記回転子が回転自在で、かつ長手方向に移動可能に配置されている。また、回転子の外側面には羽根部が形成されており、その羽根部の後方には、前記摺動子の前方の斜面部に対抗した斜面部が形成されている。所謂、デビットカーン式の回転カムと称される出没機構である。  他の例としてる、軸筒内の壁面の１部分、或いは、クリップの玉部には、略ハート形状のカム溝が形成されており、そのカム溝内を回遊する突起が他方の部材に形成されている。所謂ハートカムと称されるものである。    
【特許文献１】特開２００２−２４０４８７号公報
【特許文献２】特開平１０−１１９４８１号公報
【発明の開示】
【発明が解決しようとする課題】
【０００３】
しかしながら、上記カムによる筆記体ユニットの出没ストロークは、軸筒内を回転しながら前進する回転子の、軸筒の長手方向におけるストロークで決まってしまう。つまり、長いストロークを得ようとするには、前記回転子の移動ストローク以上にノック部材を軸筒の後端から突出する必要があり、その結果、外観上の見栄えを著しく損なうのみならず、操作性においても煩わしさがあった。即ち、特に、小学生など比較的手が小さく指の短い使用者には、ノック部材の後端部に指がとどかず、軸筒を持ち替えた後に再び操作するようになり、しばしば不具合を発生させる問題があった。
【課題を解決するための手段】
【０００４】
本発明は、軸筒に筆記体ユニットを出没可能に配置した出没式筆記具であって、前記筆記体ユニットの出没機構を摺動子と、その摺動子の押圧操作による回転・前進移動する回転子よりなすと共に、その回転子に傾斜面からなるカム面を形成し、そのカム面に前記筆記体ユニットを係合せしめたことを要旨とする
【発明の効果】
【０００５】
軸筒に筆記体ユニットを出没可能に配置した出没式筆記具であって、前記筆記体ユニットの出没機構を摺動子と、その摺動子の押圧操作による回転・前進移動する回転子よりなすと共に、その回転子に傾斜面からなるカム面を形成し、そのカム面に前記筆記体ユニットを係合せしめたので、少ない押圧操作で多くの突出量を得ることができる。
【発明を実施するための最良の形態】
【０００６】
図１〜図５に第１例を示し説明する。軸筒１の内部には、前方溝形成部材３並びに、後方溝形成部材２が挿着・固定されており、それら前方溝形成部材３並びに、後方溝形成部材２の間には隙間が形成されている。つまり、軸筒１の内面には閉じた環状溝１５が形成されている。この環状溝１５は、後述する回転子突起が摺動する往路と復路で多少は異なるもののほぼ対称的な傾斜面を有する略ハート形状をなしたいわゆるハートカムを形成している。  前記軸筒１の内部には、インキが収納された筆記体ユニットの１構成である筆記体収納筒５が配置されている。その筆記体収納筒５の前方には、コイルスプリングなどの弾発部材９が配置されており、その弾発部材９によって筆記体収納筒５は後方に向けて付勢されているが、軸筒１の長手方向に対して移動可能なものとなっている。尚、筆記体ユニットは、回転子４や筆記体収納筒５、尾栓６、インキ吸蔵体７、ペン先８などから構成されている。  前記環状溝１５には前方係止段部２ａと後方係止段部２ｂが形成されていると共に、前方係止段部の対岸近傍には回転子突起４ａの後方への移動方向を規制する段部３ａが形成されている。また、前方溝形成部材３並びに、後方溝形成部材２の内側には、前記筆記体収納筒５と共に移動する回転子４が配置されている。そして、前記後方係止段部の対岸近傍にも前記回転子４に形成されている回転子突起４ａと当接し、回転子４の後方への移動方向を規制する段部３ｂが形成されている。  前記回転子４の中空部には、インキ吸蔵体７を内包した尾栓６が配置され、前記筆記体収納筒５と螺合により着脱自在に取り付けられている。また、前記回転子４の前方外周には、新たなカム面４ｃが形成されている。  筆記体収納筒５は軸筒に対して、回転止め５ａと軸筒内面に形成した前方溝１ａの係合により、回転を規制されている。  更に、筆記体収納筒５の側面には、前記回転子カム面４ｃに係合するカム係合部５ｃが形成されており、回転子４の回転に伴う前進移動に従って、前記筆記体収納筒５は、そのカム面４ｃによるストロークが、回転子４自体の移動ストロークに加算されて前進する。  図示はしないが、筆記体収納筒５の前方に、蓋体やシール筒、細線部、ガイド筒などで構成されるペン先密閉機構を配置してもよい。  尚、本例においては、回転子に突起を形成し、軸筒に固定した溝係止部材に溝を形成したが、これらの関係を逆転し、回転子の外側面に環状溝を形成し、軸筒面にこの環状溝内に配置される突起を形成してもよい。  次に、この第１例に基づき、動作について説明する。軸筒１に対して、摺動子の役割をするノック部材１０を押圧し前進させると、回転子４が、環状溝１５内を前進斜面３ｃに沿って回転しながら前進移動し、前方規制段部３ａ前方に当接した状態で、ノック部材１０の押圧を解除すると、弾発部材９の付勢により、回転子突起４ａは前方係止段部２ａに当接し、回転子４の前進状態を維持することができる。このとき、回転子４の前進（Ｌ１）により筆記体収納筒５も前進するが、この際、回転子４に形成されたカム面４ｃの回転により、軸筒１内面に形成れた前方溝１ａと回転子回転止め５ａにより回転を規制された筆記体収納筒５は、カム係合部５ｃとカム面４ｃとの係合により��そのカム面４ｃの移動ストローク分（Ｌ２）更に前進し、筆記体ユニットの突出状態を維持する。  この状態で再度、弾発部材９に抗してノック部材６を押圧すると、回転子突起４ａは前方移動規制段部３ａにより、前方係止段部２ａから外れ、この状態でノック部材６の押圧を解除すると、回転子突起４ａは弾発部材９の付勢により、後退斜面２ｃに沿って回転後退し、後方係止段部２ｂに位置し筆記体収納状態へと復帰するとともに、回転子カム面も回転し、筆記体収納筒は収納状態へと復帰する。  尚、本実施例においては、回転子４の係止突起４ａを略円形状としているが、長手方向に長い長円、あるいは楕円形状にしても何ら差し支えない。
【０００７】
図６に本発明の第２例を示す。軸筒の後方の内壁面には、摺動子１３の摺動子テーパ突起１３ａに係合する複数の溝１２ａが長手方向に形成されており、その溝間に形成される突起の前端面にはカム傾斜面１２ｂが形成されている。前記摺動子１３の前方には回転子１４が回転可能に、かつ、長手方向に移動可能に配置されている。その回転子の側面には羽根部１４ｃが形成されており、その羽根部１４ｃの後方は前記摺動子テーパ突起１３ａのテーパ面に係合する、所謂、デビットカーンと称される回転カム機構である。  本実施例では、筆記体収納状態から最初の筆記体突出状態に移行する際に、回転子１４は略軸心を中心に９０°回転しながら前進する。  つまり、前記回転子１４の前方外周面にはカム面１４ａが形成されており、筆記体収納筒に形成されたカム係合部５ｃに連動されているため、筆記体ユニットの前進ストロークは回転子１４の前進ストローク（Ｌ１）に加え回転子１４のカム面１４ａの回転で得られるストローク（Ｌ２）が加算されることになる（図７ａ、ｂ参照）。上記以外の部品構成は第１例と同様である。
【０００８】
図８に本発明の第３例を示す。軸筒１の後方の内壁面の一部には、略ハート形状の環状溝１７が形成されている。この環状溝１７には、回転子４の側面に形成された突起４ａが遊挿しており、環状溝１７内を周遊し得るようになっている。その回転子４の前端部には、カム面４ｃが形成されており、そのカム面４ｃは、筆記体収納筒５の側面に形成されたカム係合部５ｃと接触し係合している。  前記回転子４は、回転子４の突起４ａと略ハート形状の環状溝１７との係合により、その環状溝１７に沿って回転しながら前進するが、回転子４の前進位置と後退位置との間に、その回転子４を回転させ、ストロークＬ２を得るために、前記略ハート形状の環状溝１７は前進位置と後退位置との間で角度を設けている。具体的には、後方係止段部１７ｂと前方係止段部１７ａで形成される角度を９０度としている。上記以外の部品構成は第１実施例と同様である。  これら実施例のいずれの場合もノック部材１０あるいは摺動子１３の前進により回転しながら前進する回転子の前進ストローク（Ｌ１）と、回転子に設けられたカム面による筆記体収納筒５の前進ストローク（Ｌ２）の加算で、前記ノック部材１０あるいは摺動子１３の前進移動以上の筆記体ユニット（筆記体収納筒５）の前進ストローク（Ｌ１＋Ｌ２）が得られる。
【０００９】
尚、ここで、前記第１例を基に、より多くの筆記体ユニットの前進ストロークを得ようとする場合は、前記回転子のカム面のテーパ角θ２を小さくするか及び／又は、回転子を回転前進させるための環状溝のテーパ角θ１を小さくすればよいが、ノック部材を操作するための押圧操作力が大きくなってしまう。各部位による摩擦抵抗の増加によるものであるが、これら移動ストロークと押圧操作力との関係は、適宜選択すればよい。  ちなみに、第２例、第３例のように回転子の前進後退で作られる角度が小さい場合（筆記体収納状態から筆記体突出状態に移行する際の回転子の回転角＝９０度）、回転子に形成するカム面を形成する角度も小さくせざるを得なくなり、第２例では２分割したカム面で構成している。
【図面の簡単な説明】
【００１０】
【図１】本発明の第１例の筆記体収納状態を示す半断面図である。
【図２】本発明の第１例の筆記体突出状態を示す半断面図である。
【図３】本発明の第１例の要部分解斜視図である。
【図４】本発明の第１例の環状溝と回転子カム面を示す平面展開図（筆記体突出状態）である。
【図５】本発明の第１例の環状溝と回転子カム面を示す側面組み図である。
【図６】本発明の第２例の要部分解斜視図である。
【図７】本発明の第２例のカム筒と、回転子のカム面及び羽根部を示す平面展開図である。
【図８】本発明の第３例の要部分解斜視図である。
【符号の説明】
【００１１】
１    後軸
１ａ  前方溝
１ｂ  後方溝
１ｃ  周状溝
１ｄ  ネジ部
２    後方溝形成部材
２ａ  前方係止段部
２ｂ  後方係止段部
２ｃ  後退斜面
２ｄ  外周突起
２ｅ  嵌合リブ
２ｆ  係止段部
３    前方溝形成部材
３ａ  前方移動規制段部
３ｂ  後方移動規制段部
３ｃ  前進斜面
３ｄ  外周突起
４    回転子
４ａ  突起
４ｃ  カム面
４ｄ  係止部
５    筆記体収納筒
５ａ  回転止め
５ｂ  ネジ部
５ｃ  カム係合部
６    尾栓
６ａ  ネジ部
７    インキ吸蔵体
８    ペン先
９    弾発部材
１０    ノック部材
１０ａ  係止段部
１１    前軸
１１ａ  ネジ部
１２    カム筒部
１２ａ  カム溝
１２ｂ  カム斜面
１２ｃ  係止段部
１３    摺動子
１３ａ  摺動子テーパー突起
１４    回転子
１４ａ  カム面
１４ｂ  係止部
１４ｃ  羽根部
１５    環状溝
１６    クリップ
１７    環状溝部
１７ａ  前方係止段部
１７ｂ  後方係止段部
１７    回転子
１７ａ  環状溝
１７ｂ  前方移動規制段部
１７ｃ  前方係止段部
１７ｄ  後方係止段部
１７ｅ  後方移動規制段部
１８    突起
【図１】
2006150725.tif 000003
【図２】
2006150725.tif 000004
【図３】
2006150725.tif 000005
【図４】
2006150725.tif 000006
【図５】
2006150725.tif 000007
【図６】
2006150725.tif 000008
【図７】
2006150725.tif 000009
【図８】
2006150725.tif 000010